(57)【要約】      （修正有）【課題】モデルの信頼度を検出するための方法及び装置を提供する。【解決手段】方法は、被写非生体の赤外反射画像及び可視光反射画像を取得するステップと、赤外反射画像及び可視光反射画像を検出対象生体検出モデルに導入し、赤外反射画像及び可視光反射画像に対応する検出結果を取得するステップと、被写非生体における赤外線反射コーティングの設定濃度レベルを検出結果と照合し、照合結果に基づいて検出対象生体検出モデルの信頼度レベルを設定するステップとを含む。【選択図】図２
2020057361.tif 000002
【特許請求の範囲】
【請求項１】
濃度レベルが設定された赤外線反射コーティングを有する顔構成部を含む被写非生体の赤外反射画像及び可視光反射画像を取得するステップと、
前記赤外反射画像及び可視光反射画像を検出対象生体検出モデルに導入して、前記赤外反射画像及び可視光反射画像に対応する検出結果を取得するステップであって、前記検出対象生体検出モデルは、赤外反射画像及び可視光反射画像によって被写体が生体であるか否かを識別するためのものであるステップと、
前記被写非生体における赤外線反射コーティングの設定濃度レベルを前記検出結果と照合し、照合結果に基づいて前記検出対象生体検出モデルの信頼度レベルを設定するステップと、
を含む、モデルの信頼度を検出するための方法。
【請求項２】
前記顔構成部の眉毛位置の赤外線反射コーティングがグラファイトコーティングであり、前記顔構成部の唇位置の赤外線反射コーティングがフェロシリコンレッドコーティングであり、前記顔構成部のほかの位置における赤外線反射コーティングがチタンクロムブラウンコーティングである、
請求項１に記載の方法。
【請求項３】
前記設定濃度レベルは、低濃度レベル、中濃度レベル及び高濃度レベルを含み、
前記被写非生体における赤外線反射コーティングの設定濃度レベルを前記検出結果と照合し、照合結果に基づいて前記検出対象生体検出モデルの信頼度レベルを設定するステップは、
設定濃度レベルが低濃度レベルであり、且つ前記赤外反射画像及び可視光反射画像に対応する検出結果がいずれも非生体であることに応答して、前記検出対象生体検出モデルの信頼度レベルを第１信頼レベルとし、そうでなければ、前記検出対象生体検出モデルの信頼度レベルを第１不信頼レベルとすることを含む、
請求項１に記載の方法。
【請求項４】
前記被写非生体における赤外線反射コーティングの設定濃度レベルを前記検出結果と照合し、照合結果に基づいて前記検出対象生体検出モデルの信頼度レベルを設定するステップは、
設定濃度レベルが中濃度レベルであり、且つ前記赤外反射画像及び可視光反射画像に対応する検出結果がいずれも非生体であることに応答して、前記検出対象生体検出モデルの信頼度レベルを第２信頼レベルとし、そうでなければ、前記検出対象生体検出モデルの信頼度レベルを第２不信頼レベルとすることを含み、前記第２信頼レベルは第１信頼レベルよりも信頼度が高く、前記第２不信頼レベルは第１不信頼レベルよりも信頼度が高い、
請求項３に記載の方法。
【請求項５】
前記被写非生体における赤外線反射コーティングの設定濃度レベルを前記検出結果と照合し、照合結果に基づいて前記検出対象生体検出モデルの信頼度レベルを設定するステップは、
設定濃度レベルが高濃度レベルであり、且つ前記赤外反射画像及び可視光反射画像に対応する検出結果がいずれも非生体であることに応答して、前記検出対象生体検出モデルの信頼度レベルを第３信頼レベルとし、そうでなければ、前記検出対象生体検出モデルの信頼度レベルを第３不信頼レベルとすることを含み、前記第３信頼レベルは第２信頼レベルよりも信頼度が高く、前記第３不信頼レベルは第２不信頼レベルよりも信頼度が高い、
請求項４に記載の方法。
【請求項６】
濃度レベルが設定された赤外線反射コーティングを有する顔構成部を含む被写非生体の赤外反射画像及び可視光反射画像を取得するように構成される画像取得ユニットと、
前記赤外反射画像及び可視光反射画像を検出対象生体検出モデルに導入して、前記赤外反射画像及び可視光反射画像に対応する検出結果を取得するように構成される検出結果取得ユニットであって、前記検出対象生体検出モデルは、赤外反射画像及び可視光反射画像によって被写体が生体であるか否かを識別するためのものである検出結果取得ユニットと、
前記被写非生体における赤外線反射コーティングの設定濃度レベルを前記検出結果と照合し、照合結果に基づいて前記検出対象生体検出モデルの信頼度レベルを設定するように構成される信頼度レベル設定ユニットと、
を備えるモデルの信頼度を検出するための装置。
【請求項７】
前記顔構成部の眉毛位置の赤外線反射コーティングがグラファイトコーティングであり、前記顔構成部の唇位置の赤外線反射コーティングがフェロシリコンレッドコーティングであり、前記顔構成部のほかの位置における赤外線反射コーティングがチタンクロムブラウンコーティングである、
請求項６に記載の装置。
【請求項８】
前記設定濃度レベルは、低濃度レベル、中濃度レベル及び高濃度レベルを含み、
前記信頼度レベル設定ユニットは、
設定濃度レベルが低濃度レベルであり、且つ前記赤外反射画像及び可視光反射画像に対応する検出結果がいずれも非生体であることに応答して、前記検出対象生体検出モデルの信頼度レベルを第１信頼レベルとし、そうでなければ、前記検出対象生体検出モデルの信頼度レベルを第１不信頼レベルとするように構成される第１信頼度レベル設定ユニットを備える、
請求項６に記載の装置。
【請求項９】
前記信頼度レベル設定ユニットは、
設定濃度レベルが中濃度レベルであり、且つ前記赤外反射画像及び可視光反射画像に対応する検出結果がいずれも非生体であることに応答して、前記検出対象生体検出モデルの信頼度レベルを第２信頼レベルとし、そうでなければ、前記検出対象生体検出モデルの信頼度レベルを第２不信頼レベルとするように構成される第２信頼度レベル設定ユニットを備え、前記第２信頼レベルは第１信頼レベルよりも信頼度が高く、前記第２不信頼レベルは第１不信頼レベルよりも信頼度が高い、
請求項８に記載の装置。
【請求項１０】
前記信頼度レベル設定ユニットは、
設定濃度レベルが高濃度レベルであり、且つ前記赤外反射画像及び可視光反射画像に対応する検出結果がいずれも非生体であることに応答して、前記検出対象生体検出モデルの信頼度レベルを第３信頼レベルとし、そうでなければ、前記検出対象生体検出モデルの信頼度レベルを第３不信頼レベルとするように構成される第３信頼度レベル設定ユニットを備え、前記第３信頼レベルは第２信頼レベルよりも信頼度が高く、前記第３不信頼レベルは第２不信頼レベルよりも信頼度が高い、
請求項９に記載の装置。
【請求項１１】
１つまたは複数のプロセッサと、
１つまたは複数のプログラムが格納されているメモリと、を備えるサーバであって、
前記１つまたは複数のプログラムが前記１つまたは複数のプロセッサにより実行されるとき、前記１つまたは複数のプロセッサに請求項１〜５のいずれか１項に記載の方法を実行させる、
サーバ。
【請求項１２】
コンピュータプログラムが格納されているコンピュータ可読媒体であって、該プログラムがプロセッサにより実行されるとき、請求項１〜５のいずれか１項に記載の方法を実現する、
ことを特徴とするコンピュータ可読媒体。
【発明の詳細な説明】
【技術分野】
【０００１】
本発明の実施形態はコンピュータ技術分野に関し、詳しくは、モデルの信頼度を検出するための方法及び装置に関する。
【背景技術】
【０００２】
人顔認識技術はコンピュータ応用研究技術であり、生物特徴認識技術に属する。生物体の生物的特徴により、生物個体を区別することができるだけでなく、生物個体の身体状態を判断することもできる。例えば、生物体の画像により生物が生体であるか否か、疲労状態にあるか否かなどを判断することができる。さらに、生物体の画像によりスマートデバイスなどのデバイスをロック解除する判断条件とすることができ、生体攻撃を防止して、デバイスの安全性が向上する。当業者は、複数種類のサンプルデータから生体攻撃を識別するための生体検出モデルを取得することができる。
【発明の概要】
【発明が解決しようとする課題】
【０００３】
本発明の実施形態は、モデルの信頼度を検出するための方法及び装置を提案する。
【課題を解決するための手段】
【０００４】
第一態様では、本発明の実施形態はモデルの信頼度を検出するための方法を提供し、該方法は、濃度レベルが設定された赤外線反射コーティングを有する顔構成部を含む被写非生体の赤外反射画像及び可視光反射画像を取得するステップと、前記赤外反射画像及び可視光反射画像を検出対象生体検出モデルに導入して、前記赤外反射画像及び可視光反射画像に対応する検出結果を取得するステップであって、前記検出対象生体検出モデルは、赤外反射画像及び可視光反射画像によって被写体が生体であるか否かを識別するためのものであるステップと、前記被写非生体における赤外線反射コーティングの設定濃度レベルを前記検出結果と照合し、照合結果に基づいて前記検出対象生体検出モデルの信頼度レベルを設定するステップとを含む。
【０００５】
いくつかの実施形態において、前記顔構成部の眉毛位置の赤外線反射コーティングはグラファイトコーティングであり、前記顔構成部の唇位置の赤外線反射コーティングはフェロシリコンレッドコーティングであり、前記顔構成部のほかの位置における赤外線反射コーティングはチタンクロムブラウンコーティングである。
【０００６】
いくつかの実施形態において、前記設定濃度レベルは低濃度レベル、中濃度レベル及び高濃度レベルを含み、前記被写非生体における赤外線反射コーティングの設定濃度レベルを前記検出結果と照合し、照合結果に基づいて前記検出対象生体検出モデルの信頼度レベルを設定するステップは、設定濃度レベルが低濃度レベルであり、且つ前記赤外反射画像及び可視光反射画像に対応する検出結果がいずれも非生体であることに応答して、前記検出対象生体検出モデルの信頼度レベルを第１信頼レベルとし、そうでなければ、前記検出対象生体検出モデルの信頼度レベルを第１不信頼レベルとすることを含む。
【０００７】
いくつかの実施形態において、前記被写非生体における赤外線反射コーティングの設定濃度レベルを前記検出結果と照合し、照合結果に基づいて前記検出対象生体検出モデルの信頼度レベルを設定するステップは、設定濃度レベルが中濃度レベルであり、且つ前記赤外反射画像及び可視光反射画像に対応する検出結果がいずれも非生体であることに応答して、前記検出対象生体検出モデルの信頼度レベルを第２信頼レベルとし、そうでなければ、前記検出対象生体検出モデルの信頼度レベルを第２不信頼レベルとすることを含み、前記第２信頼レベルは第１信頼レベルよりも信頼度が高く、前記第２不信頼レベルは第１不信頼レベルよりも信頼度が高い。
【０００８】
いくつかの実施形態において、前記被写非生体の赤外線反射コーティングの設定濃度レベルを前記検出結果と照合し、照合結果に基づいて前記検出対象生体検出モデルの信頼度レベルを設定するステップは、設定濃度レベルが高濃度レベルであり、且つ前記赤外反射画像及び可視光反射画像に対応する検出結果がいずれも非生体であることに応答して、前記検出対象生体検出モデルの信頼度レベルを第３信頼レベルとし、そうでなければ、前記検出対象生体検出モデルの信頼度レベルを第３不信頼レベルとすることを含み、前記第３信頼レベルは第２信頼レベルよりも信頼度が高く、前記第３不信頼レベルは第２不信頼レベルよりも信頼度が高い。
【０００９】
第二態様では、本発明の実施形態はモデルの信頼度を検出するための装置を提供し、該装置は、濃度レベルが設定された赤外線反射コーティングを有する顔構成部を含む被写非生体の赤外反射画像及び可視光反射画像を取得するように構成される画像取得ユニットと、前記赤外反射画像及び可視光反射画像を検出対象生体検出モデルに導入して、前記赤外反射画像及び可視光反射画像に対応する検出結果を取得するように構成される検出結果取得ユニットであって、前記検出対象生体検出モデルは、赤外反射画像及び可視光反射画像によって被写体が生体であるか否かを識別するためのものである検出結果取得ユニットと、前記被写非生体の赤外線反射コーティングの設定濃度レベルを前記検出結果と照合し、照合結果に基づいて前記検出対象生体検出モデルの信頼度レベルを設定するように構成される信頼度レベル設定ユニットとを備える。
【００１０】
いくつかの実施形態において、前記顔構成部の眉毛位置の赤外線反射コーティングはグラファイトコーティングであり、前記顔構成部の唇位置の赤外線反射コーティングはフェロシリコンレッドコーティングであり、前記顔構成部のほかの位置における赤外線反射コーティングはチタンクロムブラウンコーティングである。
【００１１】
いくつかの実施形態において、前記設定濃度レベルは低濃度レベル、中濃度レベル及び高濃度レベルを含み、前記信頼度レベル設定ユニットは、設定濃度レベルが低濃度レベルであり、且つ前記赤外反射画像及び可視光反射画像に対応する検出結果がいずれも非生体であることに応答して、前記検出対象生体検出モデルの信頼度レベルを第１信頼レベルとし、そうでなければ、前記検出対象生体検出モデルの信頼度レベルを第１不信頼レベルとするように構成される第１信頼度レベル設定ユニットを備える。
【００１２】
いくつかの実施形態において、前記信頼度レベル設定ユニットは、設定濃度レベルが中濃度レベルであり、且つ前記赤外反射画像及び可視光反射画像に対応する検出結果がいずれも非生体であることに応答して、前記検出対象生体検出モデルの信頼度レベルを第２信頼レベルとし、そうでなければ、前記検出対象生体検出モデルの信頼度レベルを第２不信頼レベルとするように構成される第２信頼度レベル設定ユニットを備え、前記第２信頼レベルは第１信頼レベルよりも信頼度が高く、前記第２不信頼レベルは第１不信頼レベルよりも信頼度が高い。
【００１３】
いくつかの実施形態において、前記信頼度レベル設定ユニットは、設定濃度レベルが高濃度レベルであり、且つ前記赤外反射画像及び可視光反射画像に対応する検出結果がいずれも非生体であることに応答して、前記検出対象生体検出モデルの信頼度レベルを第３信頼レベルとし、そうでなければ、前記検出対象生体検出モデルの信頼度レベルを第３不信頼レベルとするように構成される第３信頼度レベル設定ユニットを備え、前記第３信頼レベルは第２信頼レベルよりも信頼度が高く、前記第３不信頼レベルは第２不信頼レベルよりも信頼度が高い。
【００１４】
第三態様では、本発明の実施形態はサーバを提供し、サーバは、１つまたは複数のプロセッサと、１つまたは複数のプログラムが格納されているメモリとを備え、前記１つまたは複数のプログラムが前記１つまたは複数のプロセッサにより実行されるとき、前記１つまたは複数のプロセッサに上記第一態様に記載のモデルの信頼度を検出するための方法を実行させる。
【００１５】
第四態様では、本発明の実施形態は、コンピュータプログラムが格納されているコンピュータ可読媒体を提供し、該コンピュータプログラムがプロセッサにより実行されるとき、上記第一態様に記載のモデルの信頼度を検出するための方法を実現することを特徴とする。
【００１６】
本発明の実施形態により提供されるモデルの信頼度を検出するための方法及び装置は、まず、濃度レベルが設定された赤外線反射コーティングを有する顔構成部を含む被写非生体の赤外反射画像及び可視光反射画像を取得し、次に、赤外反射画像及び可視光反射画像を検出対象生体検出モデルに導入して、赤外反射画像及び可視光反射画像に対応する検出結果を取得し、最後に、被写非生体の赤外線反射コーティングの設定濃度レベルを検出結果と照合し、照合結果に基づいて検出対象生体検出モデルの信頼度レベルを設定する。このようにして、生体検出モデルの信頼度が検出される。
【図面の簡単な説明】
【００１７】
以下、添付図面を参照しながら非限定的実施形態を詳細に説明することで、本発明のその他特徴、目的及び利点は一層明確になる。
【図１】本発明の一実施形態が適用可能な例示的システムアーキテクチャを示す図である。
【図２】本発明によるモデルの信頼度を検出するための方法の一実施形態のフローチャートである。
【図３】本発明によるモデルの信頼度を検出するための方法の一つの適用シナリオの概略図である。
【図４】本発明によるモデルの信頼度を検出するための装置の一実施形態の構造概略図である。
【図５】本発明の実施形態のサーバを実施するのに適したコンピュータシステムの構造概略図である。
【発明を実施するための形態】
【００１８】
以下、添付図面及び実施形態を参照しながら本発明をさらに詳細に説明する。本明細書に記載された特定の実施形態は、関連発明を解釈するためのものであり、本発明を限定するためのものではないことを理解されたい。なお、説明すべきことは、説明の便宜上、図面には関連発明に関わる部分のみ示されていることである。
【００１９】
説明すべきことは、本発明における実施形態及び実施形態における特徴は、矛盾を生じない限り、互いに組み合わせ可能である。以下、添付図面を参照し、実施形態に合わせて本発明を詳細に説明する。
【００２０】
図１は本発明の実施形態を適用できるモデルの信頼度を検出するための方法またはモデルの信頼度を検出するための装置の例示的なシステムアーキテクチャ１００を示している。
【００２１】
図１に示されるように、システムアーキテクチャ１００は、人顔マスク１０１、人体彫像１０２、及びサーバ１０３を含むことができる。ここで、人顔マスク１０１及び人体彫像１０２の顔部は、赤外線下での人顔の赤外線特徴をシミュレートすることができる赤外線反射コーティングを有することができる。
【００２２】
ユーザは様々な端末装置を用いて人顔マスク１０１及び人体彫像１０２の赤外反射画像及び可視光反射画像を取得して、サーバ１０３に送信することができる。
【００２３】
サーバ１０３は、例えば、人顔マスク１０１及び人体彫像１０２の赤外反射画像及び可視光反射画像によって生体検出モデルの信頼度を検出するサーバなど、生体検出モデルが格納されたサーバであってもよい。サーバは、赤外反射画像及び可視光反射画像に対する生体検出モデルの検出結果、並びに人顔マスク１０１及び人体彫像１０２の赤外線反射コーティングの濃度などの情報に基づいて、生体検出モデルの信頼度を検出することができる。
【００２４】
説明すべきことは、本発明の実施形態によるモデルの信頼度を検出するための方法は、一般的にサーバ１０３によって実行されることである。応じて、モデルの信頼度を検出するための装置は一般的にサーバ１０３に設けられる。
【００２５】
説明すべきことは、サーバはハードウェアであってもよいし、ソフトウェアであってもよい。サーバがハードウェアの場合、複数のサーバからなる分散型サーバクラスタとして実現してもよいし、単一のサーバとして実現してもよい。サーバがソフトウェアの場合、複数のソフトウェア又はソフトウェアモジュール（例えば、分散サービスを提供するためのもの）として実現されてもよく、単一のソフトウェア又はソフトウェアモジュールとして実現されてもよく、ここでは特に限定されない。
【００２６】
図１における人顔マスク、人体彫像及びサーバの数は、単なる例示であることは理解されるべきである。実現の必要に応じて、任意の数の人顔マスク、人体彫像、及びサーバを有することができる。
【００２７】
次に、本発明によるモデルの信頼度を検出するための方法の一実施形態のフロー２００が示されている図２を参照する。このモデルの信頼度を検出するための方法は以下のステップを含む。
【００２８】
ステップ２０１では、被写非生体の赤外反射画像及び可視光反射画像を取得する。
【００２９】
本実施形態において、モデルの信頼度を検出するための方法の実行主体（例えば、図１に示すサーバ１０３）は、有線接続方式または無線接続方式により被写非生体の赤外反射画像及び可視光反射画像を取得することができる。
【００３０】
従来の方法で生体検出モデルをトレーニングする際のサンプルデータは、通常、それ自体が生体サンプルデータ又は非生体サンプルデータである。うち、非生体サンプルデータは通常生体サンプルデータとの間で明らかな違いを有する。従って、このようなサンプルデータでトレーニングして得た生体検出モデルは、通常、特徴が明らかな生体又は非生体を識別することができる。該生体検出モデルが出会った非生体の画像が生体の画像特性を模倣することができる場合に、生体検出モデルは誤った検出結果を出す確率が高い。
【００３１】
このため、本発明の実行主体は、まず、被写非生体の赤外反射画像及び可視光反射画像を取得する。うち、前記被写非生体は、顔構成部（例えば、前記人顔マスク１０１または人体彫像１０２であってもよい）を含むことができる。実際の顔の画像特徴をシミュレートするために、前記顔構成部は濃度レベルが設定された赤外線反射コーティングを有することができる。
【００３２】
本実施形態のいくつかの任意選択実施態様において、前記顔構成部の眉毛位置の赤外線反射コーティングはグラファイトコーティングであり、前記顔構成部の唇位置の赤外線反射コーティングはフェロシリコンレッドコーティングであり、前記顔構成部のほかの位置の赤外線反射コーティングはチタンクロムブラウンコーティングである。
【００３３】
検出対象生体検出モデルが可視光及び赤外光下で生体攻撃を防御する効果を検出するために、本発明の被写非生体の顔構造は、複数の部分を対象に顔特徴がシミュレートされている。グラファイトは赤外線を反射する特性を有するとともに、それ自体も黒色である。したがって、前記顔構成部の眉毛位置の赤外線反射コーティングはグラファイトコーティングにすることができる。フェロシリコンも赤外線を反射する特性を有しており、その色が唇の色に近い。前記顔構成部の唇位置の赤外線反射コーティングはフェロシリコンレッドコーティングにすることができる。このように、人顔マスク１０１または人体彫像１０２によって、可視光及び赤外光の条件下で、実際の顔をシミュレートすることができる。
【００３４】
ステップ２０２では、前記赤外反射画像及び可視光反射画像を検出対象生体検出モデルに導入して、前記赤外反射画像及び可視光反射画像に対応する検出結果を取得する。
【００３５】
赤外反射画像及び可視光反射画像を取得した後、実行主体は、赤外反射画像及び可視光反射画像を検出対象生体検出モデルに導入することができる。検出対象生体検出モデルは、実行主体のローカルに格納されてもよく、他の装置に格納されてもよい。検出対象生体検出モデルが他の装置に格納される場合、実行主体は、他の装置とのデータインターフェースを介して、検出対象生体検出モデルとのデータ通信を行うことができる。ここで、前記検出対象生体検出モデルは、赤外反射画像及び可視光反射画像を用いて被写体が生体であるか否かを識別するために用いられてもよい。
【００３６】
ステップ２０３では、前記被写非生体における赤外線反射コーティングの設定濃度レベルを前記検出結果と照合し、照合結果に基づいて前記検出対象生体検出モデルの信頼度レベルを設定する。
【００３７】
一般に、検出対象生体検出モデルは生体又は非生体を識別する一定の精度を有する。実行主体は、被写非生体における赤外線反射コーティングの設定濃度レベルを前記検出結果と照合し、照合結果に基づいて検出対象生体検出モデルの信頼度レベルを確定することができる。
【００３８】
本実施形態のいくつかの任意選択実施態様において、前記設定濃度レベルは低濃度レベル、中濃度レベル及び高濃度レベルを含み、前記被写非生体における赤外線反射コーティングの設定濃度レベルを前記検出結果と照合し、照合結果に基づいて前記検出対象生体検出モデルの信頼度レベルを設定するステップは、設定濃度レベルが低濃度レベルであり、且つ前記赤外反射画像及び可視光反射画像に対応する検出結果がいずれも非生体であることに応答して、前記検出対象生体検出モデルの信頼度レベルを第１信頼レベルとし、そうでなければ、前記検出対象生体検出モデルの信頼度レベルを第１不信頼レベルとすることを含むことができる。
【００３９】
検出対象生体検出モデルの信頼度を定性的に説明するために、本発明の設定濃度レベルは低濃度レベル、中濃度レベル及び高濃度レベルを含むことができる。人顔マスク１０１または人体彫像１０２におけるグラファイトコーティング、フェロシリコンレッドコーティング及びチタンクロムブラウンコーティングが低濃度レベルである場合、人顔マスク１０１または人体彫像１０２が、実際の顔をある程度シミュレートすることができ、すなわち、検出対象生体検出モデルは、実際の顔よりも僅か少ない画像特徴を得ることができる。もしこのとき、検出対象生体検出モデルの、人顔マスク１０１又は人体彫像１０２の赤外反射画像及び可視光反射画像に対する検出結果がいずれも非生体である場合、該検出対象生体検出モデルが、ある程度実際の顔をシミュレートする能力を持っている非生体を比較的正確に識別できることを意味する。この場合、前記検出対象生体検出モデルの信頼度レベルを第１信頼レベルとすることができる。もし、検出対象生体検出モデルの、人顔マスク１０１又は人体彫像１０２の赤外反射画像に対する検出結果が生体、人顔マスク１０１又は人体彫像１０２の可視光反射画像に対する検出結果が生体、又は、人顔マスク１０１又は人体彫像１０２の赤外反射画像及び可視光反射画像に対する検出結果がいずれも生体である場合には、該検出対象生体検出モデルは、ある程度実際の顔をシミュレートする能力を持っている非生体を正確に識別できないことを意味する。この場合、前記検出対象生体検出モデルの信頼度レベルを第１不信頼レベルと設定することができる。
【００４０】
本実施形態のいくつかの任意選択実施態様において、前記被写非生体における赤外線反射コーティングの設定濃度レベルを前記検出結果と照合し、照合結果に基づいて前記検出対象生体検出モデルの信頼度レベルを設定するステップは、設定濃度レベルが中濃度レベルであり、且つ前記赤外反射画像及び可視光反射画像に対応する検出結果がいずれも非生体であることに応答して、前記検出対象生体検出モデルの信頼度レベルを第２信頼レベルとし、そうでなければ、前記検出対象生体検出モデルの信頼度レベルを第２不信頼レベルとすることを含むことができる。
【００４１】
人顔マスク１０１または人体彫像１０２におけるグラファイトコーティング、フェロシリコンレッドコーティング及びチタンクロムブラウンコーティングが中濃度レベルであるとき、人顔マスク１０１または人体彫像１０２を、実際の顔の画像特徴にできるだけ近づけることができる。すなわち、検出対象生体検出モデルは実際の顔の画像特徴に近似している。もしこの場合、検出対象生体検出モデルの、人顔マスク１０１又は人体彫像１０２の赤外反射画像及び可視光反射画像に対する検出結果がいずれも非生体である場合、該検出対象生体検出モデルは、実際の顔をシミュレートする能力が非常に高い非生体を比較的正確に識別できることを意味する。このとき、前記検出対象生体検出モデルの信頼度レベルを第２信頼レベルとすることができる。もし、検出対象生体検出モデルの、人顔マスク１０１又は人体彫像１０２の赤外反射画像に対する検出結果が生体、人顔マスク１０１又は人体彫像１０２の可視光反射画像に対する検出結果が生体、又は、人顔マスク１０１又は人体彫像１０２の赤外反射画像及び可視光反射画像に対する検出結果がいずれも生体である場合には、該検出対象生体検出モデルは、実際の顔をシミュレートする能力が非常に高い非生体を正確に識別できないことを意味する。このとき、前記検出対象生体検出モデルの信頼度レベルを第２不信頼レベルとすることができる。説明すべきことは、赤外線反射コーティングの濃度が高いほど、実際の顔をリアルに完全にシミュレートすることができる。対応して、ある検出対象生体検出モデルが中濃度レベルの人顔マスク１０１または人体彫像１０２の赤外反射画像及び可視光反射画像を正確に識別することができる場合、通常、低濃度レベルの人顔マスク１０１または人体彫像１０２の赤外反射画像及び可視光反射画像も正確に識別することができる。すなわち、前記第２信頼レベルは第１信頼レベルよりも信頼度が高い。相応して、ある検出対象生体検出モデルが低濃度レベルの人顔マスク１０１または人体彫像１０２の赤外反射画像及び可視光反射画像を正確に識別することができない場合、中濃度レベルの人顔マスク１０１または人体彫像１０２の赤外反射画像及び可視光反射画像も正確に識別することができない可能性が高い。すなわち、前記第２不信頼レベルは第１不信頼レベルよりも信頼度が高い。
【００４２】
本実施形態のいくつかの任意選択実施態様において、前記被写非生体における赤外線反射コーティングの設定濃度レベルを前記検出結果と照合し、照合結果に基づいて前記検出対象生体検出モデルの信頼度レベルを設定するステップは、設定濃度レベルが高濃度レベルであり、且つ前記赤外反射画像及び可視光反射画像に対応する検出結果がいずれも非生体であることに応答して、前記検出対象生体検出モデルの信頼度レベルを第３信頼レベルとし、そうでなければ、前記検出対象生体検出モデルの信頼度レベルを第３不信頼レベルとすることを含むことができる。
【００４３】
人顔マスク１０１または人体彫像１０２におけるグラファイトコーティング、フェロシリコンレッドコーティング及びチタンクロムブラウンコーティングが高濃度レベルであるとき、人顔マスク１０１または人体彫像１０２の赤外反射画像及び可視光反射像を実際の顔の画像特徴よりもある程度顕著にすることができ、すなわち、検出対象生体検出モデルは実際の顔よりももっと多くの画像特徴を取得することができる。もしこのとき、検出対象生体検出モデルの、人顔マスク１０１又は人体彫像１０２の赤外反射画像及び可視光反射画像に対する検出結果がいずれも非生体である場合、実際の顔をどのように模倣しても、該検出対象生体検出モデルは非生体を高精度に識別できることを意味する。このとき、前記検出対象生体検出モデルの信頼度レベルを第３信頼レベルとすることができる。もし、検出対象生体検出モデルの、人顔マスク１０１又は人体彫像１０２の赤外反射画像に対する検出結果が生体、人顔マスク１０１又は人体彫像１０２の可視光反射画像に対する検出結果が生体、又は、人顔マスク１０１又は人体彫像１０２の赤外反射画像及び可視光反射画像に対する検出結果がいずれも生体である場合、該検出対象生体検出モデルは該非生体を正確に識別できないことを意味する。このとき、前記検出対象生体検出モデルの信頼度レベルを第３不信頼レベルとすることができる。ある検出対象生体検出モデルが高濃度レベルの人顔マスク１０１または人体彫像１０２の赤外反射画像及び可視光反射画像を正確に識別することができる場合、通常、中濃度レベル及び低濃度レベルの場合の人顔マスク１０１または人体彫像１０２の赤外反射画像及び可視光反射画像も正確に識別することができる。すなわち、前記第３信頼レベルは第２信頼レベル及び第１信頼レベルよりも信頼度が高い。これに対し、ある検出対象生体検出モデルが低濃度レベル及び中濃度レベルの人顔マスク１０１または人体彫像１０２の赤外反射画像及び可視光反射画像を正確に識別することができない場合、高濃度レベルの人顔マスク１０１または人体彫像１０２の赤外反射画像及び可視光反射画像も正確に識別できない可能性が高い。すなわち、前記第３不信頼レベルは第２不信頼レベル及び第１不信頼レベルよりも信頼度が高い。全体として、本発明は、検出対象生体検出モデルの信頼度レベルは、第３信頼レベル＞第２信頼レベル＞第１信頼レベル＞第３不信頼レベル＞第２不信頼レベル＞第１不信頼レベルになるように分けられる。
【００４４】
検出対象生体検出モデルの正確な信頼度を求める場合には、該検出対象生体検出モデルに対して、濃度レベルの異なる赤外線反射コーティングをテストすることができる。該赤外線反射コーティングが低濃度レベルの赤外反射画像及び可視光反射画像を正確に識別することができるが、中濃度レベルの赤外反射画像及び可視光反射画像を正確に識別することができない場合、該検出対象生体検出モデルの最終的な信頼度レベルを第１信頼レベルとすることができる。同様に、該検出対象生体検出モデルをほかの最終的な信頼度レベルとすることもできる。
【００４５】
次に、本実施形態によるモデルの信頼度を検出するための方法の適用シナリオの一つを示す概略図である図３を参照する。図３の適用シナリオでは、サーバ１０３は、人体彫像１０２の赤外反射画像及び可視光反射画像を取得した後、人体彫像１０２の赤外反射画像及び可視光反射画像を検出対象生体検出モデルに導入して、前記赤外反射画像及び可視光反射画像に対応する検出結果を取得する。最後に、被写非生体における赤外線反射コーティングの設定濃度レベルを検出結果と照合し、照合結果に基づいて検出対象生体検出モデルの信頼度レベルを設定する。
【００４６】
本発明の上記実施形態による方法は、まず、濃度レベルが設定された赤外線反射コーティングを有する顔構成部を含む被写非生体の赤外反射画像及び可視光反射画像を取得し、次に、赤外反射画像及び可視光反射画像を検出対象生体検出モデルに導入して、赤外反射画像及び可視光反射画像に対応する検出結果を取得し、最後に、被写非生体の赤外線反射コーティングの設定濃度レベルを検出結果と照合し、照合結果に基づいて検出対象生体検出モデルの信頼度レベルを設定する。したがって、生体検出モデルの信頼度が検出される。
【００４７】
さらに図４を参照すると、本発明は、上記各図に示された方法の実現として、図２に示された方法の実施形態に対応する、モデルの信頼度を検出するための装置を提供し、該装置は、様々な電子機器に適用可能である。
【００４８】
図４に示すように、本実施形態のモデルの信頼度を検出するための装置４００は、画像取得ユニット４０１、検出結果取得ユニット４０２、及び信頼度レベル設定ユニット４０３を備えることができる。画像取得ユニット４０１は、濃度レベルが設定された赤外線反射コーティングを有する顔構成部を含む被写非生体の赤外反射画像及び可視光反射画像を取得するように構成され、検出結果取得ユニット４０２は、赤外反射画像及び可視光反射画像により被写体が生体であるか否かを識別するための検出対象生体検出モデルに、前記赤外反射画像及び可視光反射画像を導入して、前記赤外反射画像及び可視光反射画像に対応する検出結果を取得するように構成され、信頼度レベル設定ユニット４０３は、前記被写非生体における赤外線反射コーティングの設定濃度レベルを前記検出結果と照合し、照合結果に基づいて前記検出対象生体検出モデルの信頼度レベルを設定するように構成される。
【００４９】
本実施形態のいくつかの任意選択実施態様において、前記顔構成部の眉毛位置の赤外線反射コーティングはグラファイトコーティングであり、前記顔構成部の唇位置の赤外線反射コーティングはフェロシリコンレッドコーティングであり、前記顔構成部のほかの位置の赤外線反射コーティングはチタンクロムブラウンコーティングである。
【００５０】
本実施形態のいくつかの任意選択実施態様において、前記設定濃度レベルは低濃度レベル、中濃度レベル及び高濃度レベルを含み、前記信頼度レベル設定ユニット４０３は、設定濃度レベルが低濃度レベルであり、且つ前記赤外反射画像及び可視光反射画像に対応する検出結果がいずれも非生体であることに応答して、前記検出対象生体検出モデルの信頼度レベルを第１信頼レベルとし、そうでなければ、前記検出対象生体検出モデルの信頼度レベルを第１不信頼レベルとするように構成された第１信頼度レベル設定ユニット（図示せず）を備えることができる。
【００５１】
本実施形態のいくつかの任意選択実施態様において、前記信頼度レベル設定ユニット４０３は、設定濃度レベルが中濃度レベルであり、且つ前記赤外反射画像及び可視光反射画像に対応する検出結果がいずれも非生体であることに応答して、前記検出対象生体検出モデルの信頼度レベルを第２信頼レベルとし、そうでなければ、前記検出対象生体検出モデルの信頼度レベルを第２不信頼レベルとするように構成された第２信頼度レベル設定ユニット（図示せず）を備えることができ、前記第２信頼レベルは第１信頼レベルよりも信頼度が高く、前記第２不頼レベルは第１不信頼レベルよりも信頼度が高い。
【００５２】
本実施形態のいくつかの任意選択実施態様において、前記信頼度レベル設定ユニット４０３は、設定濃度レベルが高濃度レベルであり、且つ前記赤外反射画像及び可視光反射画像に対応する検出結果がいずれも非生体であることに応答して、前記検出対象生体検出モデルの信頼度レベルを第３信頼レベルとし、そうでなければ、前記検出対象生体検出モデルの信頼度レベルを第３不信頼レベルとするように構成された第３信頼度レベル設定ユニット（図示せず）を備えることができ、前記第３信頼レベルは第２信頼レベルよりも信頼度が高く、前記第３不信頼レベルは第２不信頼レベルよりも信頼度が高い。
【００５３】
本実施形態はさらにサーバを提供し、サーバは、１つまたは複数のプロセッサと、１つまたは複数のプログラムが格納されているメモリとを備え、前記１つまたは複数のプログラムが前記１つまたは複数のプロセッサによって実行されるとき、前記１つまたは複数のプロセッサに上述したモデルの信頼度を検出するための方法を実行させる。
【００５４】
本実施形態はさらに、コンピュータプログラムが格納されたコンピュータ可読媒体を提供し、該プログラムがプロセッサにより実行されるとき、上記のモデルの信頼度を検出するための方法を実現する。
【００５５】
次に、本発明の実施形態のサーバ（例えば、図１におけるサーバ１０３）を実現するのに適したコンピュータシステム５００の構造概略図を示す図５を参照する。図５に示されたサーバは、あくまで一例に過ぎず、本発明の実施形態の機能及び使用範囲に対して制限するものではない。
【００５６】
図５に示すように、コンピュータシステム５００は、中央処理ユニット（ＣＰＵ）５０１を含み、これは、読み出し専用メモリ（ＲＯＭ）５０２に格納されたプログラム、又は記憶部５０８からランダムアクセスメモリ（ＲＡＭ）５０３にロードされたプログラムに従って、様々な適切な動作及び処理を実行することができる。ＲＡＭ５０３には、システム５００の操作に必要な様々なプログラム及びデータがさらに格納されている。ＣＰＵ５０１、ＲＯＭ５０２及びＲＡＭ５０３は、バス５０４を介して互いに接続されている。入力／出力（Ｉ／Ｏ）インターフェース５０５もバス５０４に接続されている。
【００５７】
Ｉ／Ｏインターフェース５０５には、キーボード、マウスなどを含む入力部５０６、陰極線管（ＣＲＴ）、液晶ディスプレイ（ＬＣＤ）など、及びスピーカなどを含む出力部５０７、ハードディスクなどを含む記憶部５０８、並びにＬＡＮカード、モデムなどのネットワークインターフェースカードを含む通信部５０９が接続されている。通信部５０９は、例えば、インターネットのようなネットワークを介して通信処理を実行する。ドライバ５１０は、必要に応じてＩ／Ｏインターフェース５０５に接続される。リムーバブルメディア５１１は、例えば磁気ディスク、光ディスク、光磁気ディスク、半導体メモリなどのようなものであり、必要に応じてドライバ５１０に取り付けられ、したがって、リムーバブルメディア５１１から読み出されたコンピュータプログラムが必要に応じて記憶部５０８にインストールされる。
【００５８】
特に、本発明の実施形態によれば、上記のフローチャートを参照しながら説明されたプロセスはコンピュータソフトウェアプログラムとして実現されてもよい。例えば、本発明の実施形態は、コンピュータ可読媒体にロードされるコンピュータプログラムを含むコンピュータプログラム製品を備え、該コンピュータプログラムは、フローチャートに示される方法を実行するためのプログラムコードを含む。このような実施形態において、該コンピュータプログラムは、通信部５０９を介してネットワークからダウンロードしてインストールされ、及び／又はリムーバブルメディア５１１からインストールされてもよい。該コンピュータプログラムは、中央処理装置（ＣＰＵ）５０１により実行される場合に、本発明の方法に限定される前記機能を実行する。
【００５９】
説明すべきことは、本発明に記載のコンピュータ可読媒体は、コンピュータ可読信号媒体又はコンピュータ可読記憶媒体又はこれら両者の任意の組み合わせであってもよい。コンピュータ可読記憶媒体は、例えば、電気、磁気、光、電磁気、赤外線、或いは半導体のシステム、装置又はデバイス、或いはこれらの任意の組み合わせであってもよいが、それらに限定されない。コンピュータ可読記憶媒体についてのより具体的な例は、一つ又は複数の導線による電気的接続、ポータブルコンピュータディスク、ハードディスク、ランダムアクセスメモリ（ＲＡＭ）、読取専用メモリ（ＲＯＭ）、消去可能プログラマブル読取専用メモリ（ＥＰＲＯＭ又はフラッシュメモリ）、光ファイバ、ポータブルコンパクトディスク読取専用メモリ（ＣＤ−ＲＯＭ）、光メモリ、磁気メモリ、或いはこれらの任意の適当な組み合わせを含むが、それらに限定されない。本発明において、コンピュータ可読記憶媒体は、プログラムを包含または格納する任意の有形の媒体であっても良く、該プログラムは、命令実行システム、装置又はデバイスによって使用可能、或いはそれらに組み込まれて使用可能である。本発明において、コンピュータ可読信号媒体は、ベースバンド内の或いは搬送波の一部として伝搬されるデータ信号を含むことができ、その中にコンピュータ可読プログラムコードが担持されている。このような伝搬されるデータ信号は、様々な形態をとることができ、電磁気信号、光信号又はこれらの任意の適当の組み合わせを含むが、それらに限定されない。コンピュータ可読信号媒体は、コンピュータ可読記憶媒体以外の任意のコンピュータ可読媒体であっても良く、該コンピュータ可読媒体は、命令実行システム、装置又はデバイスによって使用されるか、またはそれらに組み込まれて使用されるプログラムを、送信、伝搬または伝送することができる。コンピュータ可読媒体に含まれるプログラムコードは、任意の適当な媒体で伝送されても良く、無線、有線、光ケーブル、ＲＦなど、或いはこれらの任意の適当な組み合わせを含むが、それらに限定されない。
【００６０】
添付図面におけるフローチャート及びブロック図は、本発明の各実施形態によるシステム、方法及びコンピュータプログラム製品により実現可能なシステムアーキテクチャ、機能及び操作を示した。この点において、フローチャート又はブロック図における各ブロックは、一つのモジュール、プログラムセグメント、又はコードの一部を表すことができ、該モジュール、プログラムセグメント、又はコードの一部には、所定のロジック機能を実現するための、一つ又は複数の実行可能な命令が含まれる。注意すべきなのは、幾つかの代替となる実施態様において、ブロックに示される機能は図面に示されるものとは異なる順序で実行することも可能である。
【００６１】
例えば、二つの接続的に表示されるブロックは実際に係る機能に応じて、基本的に並行に実行されてもよく、場合によっては逆の順序で実行されてもよい。注意すべきなのは、ブロック図及び／又はフローチャートにおける各ブロック、並びにブロック図及び／又はフローチャートにおけるブロックの組み合わせは、所定の機能又は操作を実行する専用のハードウェアに基づくシステムで実現されてもよく、或いは専用のハードウェアとコンピュータ命令の組み合わせで実現されてもよい。
【００６２】
本発明の実施形態に説明されたユニットは、ソフトウェアの手段で実現されてもよく、ハードウェアの手段で実現されてもよい。説明されたユニットは、プロセッサに設置されてもよく、例えば、画像取得ユニット、検出結果取得ユニット及び信頼度レベル設定ユニットを含むプロセッサとして説明されても良い。これらのユニットの名称は場合によって該ユニットその自体に対する限定とされない。例えば、信頼度レベル設定ユニットは、「検出対象生体検出モデルの信頼度を設定するためのユニット」と記載されてもよい。
【００６３】
別の態様として、本発明は更にコンピュータ可読媒体を提供し、該コンピュータ可読媒体は、前記実施形態に説明された装置に含まれたものであっても良く、該装置に実装されずに別体として存在するものであってもよい。前記コンピュータ可読媒体には一つまたは複数のプログラムがロードされ、前記一つまたは複数のプログラムが該装置により実行されるときに、該装置は、濃度レベルが設定された赤外線反射コーティングを有する顔構成部を含む被写非生体の赤外反射画像及び可視光反射画像を取得し、前記赤外反射画像及び可視光反射画像を、赤外反射画像及び可視光反射画像により被写体が生体であるか否かを識別するための検出対象生体検出モデルに導入して、前記赤外反射画像及び可視光反射画像に対応する検出結果を取得し、前記被写非生体の赤外線反射コーティングの設定濃度レベルを前記検出結果と照合し、照合結果に基づいて前記検出対象生体検出モデルの信頼度レベルを設定するようにする。
【００６４】
以上の記載は、あくまでも本発明の好適な実施形態及び運用される技術的原理に対する説明に過ぎない。当業者であれば、本発明にかかる発明範囲は、前記技術的特徴の特定の組み合わせからなる技術的手段に限定されず、前記発明構想から逸脱されない範囲内で前記技術的特徴又はそれらの同等の特徴を任意に組み合わせてなる他の技術的手段も同時に含まれることが理解できる。例えば、前記特徴と本発明に開示された類似の機能を具備する技術的特徴（それらに限定されない）とを互いに置換してなる技術的手段は該当する。
【図１】
2020057361.tif 000003
【図２】
2020057361.tif 000004
【図３】
2020057361.tif 000005
【図４】
2020057361.tif 000006
【図５】
2020057361.tif 000007
【手続補正書】
【提出日】令和1年7月10日(2019.7.10)
【手続補正１】
【補正対象書類名】特許請求の範囲
【補正対象項目名】全文
【補正方法】変更
【補正の内容】
【特許請求の範囲】
【請求項１】
濃度レベルが設定された赤外線反射コーティングを有する顔構成部を含む被写非生体の赤外反射画像及び可視光反射画像を取得するステップと、
前記赤外反射画像及び可視光反射画像を検出対象生体検出モデルに導入して、前記赤外反射画像及び可視光反射画像に対応する検出結果を取得するステップであって、前記検出対象生体検出モデルは、赤外反射画像及び可視光反射画像によって被写体が生体であるか否かを識別するためのものであるステップと、
前記被写非生体における赤外線反射コーティングの設定濃度レベルを前記検出結果と照合し、照合結果に基づいて前記検出対象生体検出モデルの信頼度レベルを設定するステップと、
を含む、モデルの信頼度を検出するための方法。
【請求項２】
前記顔構成部の眉毛位置の赤外線反射コーティングがグラファイトコーティングであり、前記顔構成部の唇位置の赤外線反射コーティングがフェロシリコンレッドコーティングであり、前記顔構成部のほかの位置における赤外線反射コーティングがチタンクロムブラウンコーティングである、
請求項１に記載の方法。
【請求項３】
前記設定濃度レベルは、低濃度レベル、中濃度レベル及び高濃度レベルを含み、
前記被写非生体における赤外線反射コーティングの設定濃度レベルを前記検出結果と照合し、照合結果に基づいて前記検出対象生体検出モデルの信頼度レベルを設定するステップは、
設定濃度レベルが低濃度レベルであり、且つ前記赤外反射画像及び可視光反射画像に対応する検出結果がいずれも非生体であることに応答して、前記検出対象生体検出モデルの信頼度レベルを第１信頼レベルとし、そうでなければ、前記検出対象生体検出モデルの信頼度レベルを第１不信頼レベルとすることを含む、
請求項１に記載の方法。
【請求項４】
前記被写非生体における赤外線反射コーティングの設定濃度レベルを前記検出結果と照合し、照合結果に基づいて前記検出対象生体検出モデルの信頼度レベルを設定するステップは、
設定濃度レベルが中濃度レベルであり、且つ前記赤外反射画像及び可視光反射画像に対応する検出結果がいずれも非生体であることに応答して、前記検出対象生体検出モデルの信頼度レベルを第２信頼レベルとし、そうでなければ、前記検出対象生体検出モデルの信頼度レベルを第２不信頼レベルとすることを含み、前記第２信頼レベルは第１信頼レベルよりも信頼度が高く、前記第２不信頼レベルは第１不信頼レベルよりも信頼度が高い、
請求項３に記載の方法。
【請求項５】
前記被写非生体における赤外線反射コーティングの設定濃度レベルを前記検出結果と照合し、照合結果に基づいて前記検出対象生体検出モデルの信頼度レベルを設定するステップは、
設定濃度レベルが高濃度レベルであり、且つ前記赤外反射画像及び可視光反射画像に対応する検出結果がいずれも非生体であることに応答して、前記検出対象生体検出モデルの信頼度レベルを第３信頼レベルとし、そうでなければ、前記検出対象生体検出モデルの信頼度レベルを第３不信頼レベルとすることを含み、前記第３信頼レベルは第２信頼レベルよりも信頼度が高く、前記第３不信頼レベルは第２不信頼レベルよりも信頼度が高い、
請求項４に記載の方法。
【請求項６】
濃度レベルが設定された赤外線反射コーティングを有する顔構成部を含む被写非生体の赤外反射画像及び可視光反射画像を取得するように構成される画像取得ユニットと、
前記赤外反射画像及び可視光反射画像を検出対象生体検出モデルに導入して、前記赤外反射画像及び可視光反射画像に対応する検出結果を取得するように構成される検出結果取得ユニットであって、前記検出対象生体検出モデルは、赤外反射画像及び可視光反射画像によって被写体が生体であるか否かを識別するためのものである検出結果取得ユニットと、
前記被写非生体における赤外線反射コーティングの設定濃度レベルを前記検出結果と照合し、照合結果に基づいて前記検出対象生体検出モデルの信頼度レベルを設定するように構成される信頼度レベル設定ユニットと、
を備えるモデルの信頼度を検出するための装置。
【請求項７】
前記顔構成部の眉毛位置の赤外線反射コーティングがグラファイトコーティングであり、前記顔構成部の唇位置の赤外線反射コーティングがフェロシリコンレッドコーティングであり、前記顔構成部のほかの位置における赤外線反射コーティングがチタンクロムブラウンコーティングである、
請求項６に記載の装置。
【請求項８】
前記設定濃度レベルは、低濃度レベル、中濃度レベル及び高濃度レベルを含み、
前記信頼度レベル設定ユニットは、
設定濃度レベルが低濃度レベルであり、且つ前記赤外反射画像及び可視光反射画像に対応する検出結果がいずれも非生体であることに応答して、前記検出対象生体検出モデルの信頼度レベルを第１信頼レベルとし、そうでなければ、前記検出対象生体検出モデルの信頼度レベルを第１不信頼レベルとするように構成される第１信頼度レベル設定ユニットを備える、
請求項６に記載の装置。
【請求項９】
前記信頼度レベル設定ユニットは、
設定濃度レベルが中濃度レベルであり、且つ前記赤外反射画像及び可視光反射画像に対応する検出結果がいずれも非生体であることに応答して、前記検出対象生体検出モデルの信頼度レベルを第２信頼レベルとし、そうでなければ、前記検出対象生体検出モデルの信頼度レベルを第２不信頼レベルとするように構成される第２信頼度レベル設定ユニットを備え、前記第２信頼レベルは第１信頼レベルよりも信頼度が高く、前記第２不信頼レベルは第１不信頼レベルよりも信頼度が高い、
請求項８に記載の装置。
【請求項１０】
前記信頼度レベル設定ユニットは、
設定濃度レベルが高濃度レベルであり、且つ前記赤外反射画像及び可視光反射画像に対応する検出結果がいずれも非生体であることに応答して、前記検出対象生体検出モデルの信頼度レベルを第３信頼レベルとし、そうでなければ、前記検出対象生体検出モデルの信頼度レベルを第３不信頼レベルとするように構成される第３信頼度レベル設定ユニットを備え、前記第３信頼レベルは第２信頼レベルよりも信頼度が高く、前記第３不信頼レベルは第２不信頼レベルよりも信頼度が高い、
請求項９に記載の装置。
【請求項１１】
１つまたは複数のプロセッサと、
１つまたは複数のプログラムが格納されているメモリと、を備えるサーバであって、
前記１つまたは複数のプログラムが前記１つまたは複数のプロセッサにより実行されるとき、前記１つまたは複数のプロセッサに請求項１〜５のいずれか１項に記載の方法を実行させる、
サーバ。
【請求項１２】
コンピュータプログラムが格納されているコンピュータ可読媒体であって、該プログラムがプロセッサにより実行されるとき、請求項１〜５のいずれか１項に記載の方法を実現する、
ことを特徴とするコンピュータ可読媒体。
【請求項１３】
コンピュータプログラムであって、
前記コンピュータプログラムがプロセッサにより実行されると、請求項１〜５のいずれか一項に記載の方法を実現する、コンピュータプログラム。
【外国語明細書】
2020057361000001.pdf